(57)【要約】【課題】一つの装置において、含水量の異なるティッシュを混用することが可能な、ウェットティッシュ供給装置を提供する。【解決手段】筒状体をなし、内部にティッシュを積載し、第１孔を有する積載箱と、第２孔を有し、第２孔と第１孔とが対向した形で前記積載箱に設けられる出口部材と、出口部材及び積載箱上に設けられ、出水口を有する水桶と、水桶の出水口に設けられ、第１孔と第２孔との間に位置して移動し、出水口を開閉する開閉部材と、出口部材に設けられ、開閉部材の下方に位置し、開閉部材を移動させるプッシュ部材と、を備えることを特徴とするウェットティッシュ供給装置。【選択図】  図４
2015202396.tif 000002
【特許請求の範囲】
【請求項１】
筒状体をなし、内部にティッシュを積載し、第１孔を有する積載箱と、
第２孔を有し、前記第２孔と前記第１孔とが対向した形で前記積載箱に設けられる出口部材と、
前記出口部材及び前記積載箱上に設けられ、出水口を有する水桶と、
前記水桶の出水口に設けられ、前記第１孔と前記第２孔との間に位置して移動し、前記出水口を開閉する開閉部材と、
前記出口部材に設けられ、前記開閉部材の下方に位置し、前記開閉部材を移動させるプッシュ部材と、を備えることを特徴とするウェットティッシュ供給装置。
【請求項２】
前記開閉部材は、前記出水口を開閉する栓部と、前記栓部の下部に連結される棒部とからなり、前記プッシュ部材が前記棒部を移動させ、前記栓部が前記出水口を開閉する請求項１に記載のウェットティッシュ供給装置。
【請求項３】
前記棒部は、当該棒部の下部と前記水桶との間に第１の弾性部材が設けられ、弾力的に移動する請求項２に記載のウェットティッシュ供給装置。
【請求項４】
前記プッシュ部材は、前記棒部を移動させる突起を有する請求項２または３に記載のウェットティッシュ供給装置。
【請求項５】
前記突起は、傾斜面を形成し、前記棒部を移動させ、
前記プッシュ部材が前記積載箱へ前進すると、前記棒部が前記傾斜面の上部に位置し、前記栓部が前記出水口を開放し、前記プッシュ部材が後進すると、前記棒部が、前記傾斜面の下部に位置し、前記栓部が前記出水口を閉鎖する請求項４に記載のウェットティッシュ供給装置。
【請求項６】
前記突起は、半円形をなし、前記棒部を移動させ、
前記プッシュ部材が前記積載箱へ前進及び後進する間、前記棒部が前記突起の上部に位置し、前記栓部が前記出水口を２回開放し、前記棒部が前記突起を乗り越えると、前記栓部が前記出水口を閉鎖する請求項４に記載のウェットティッシュ供給装置。
【請求項７】
前記出水口が複数個である場合、前記棒部の各下部を連結する板体がさらに設けられ、前記板体の下部には、前記突起と対応する半円突起がさらに突設される請求項６に記載のウェットティッシュ供給装置。
【請求項８】
前記出口部材には、前記第２孔の上に溝状のハウジングがさらに形成され、前記プッシュ部材は、前記ハウジングに挿入設置され、前記棒部を移動させる請求項２〜７のいずれか１項に記載のウェットティッシュ供給装置。
【請求項９】
前記ハウジングは、前記プッシュ部材と前記棒部が互いに接するように上面が開口され、前記ハウジングの左右側面には、案内孔が形成され、前記プッシュ部材は、前記案内孔に挟まれる案内突起を有する請求項８に記載のウェットティッシュ供給装置。
【請求項１０】
前記案内突起が形成された前記プッシュ部材の面は、切開線に沿って前記案内孔に弾力的に脱着可能に挟まれる請求項９に記載のウェットティッシュ供給装置。
【請求項１１】
前記ハウジングの内部には、前記プッシュ部材を弾力的に作動させるための第２の弾性部材がさらに設置される請求項８〜１０のいずれか１項に記載のウェットティッシュ供給装置。
【請求項１２】
前記出口部材は、前記第２孔の形成面に、第１溝が形成され、前記第２孔と前記ハウジングは、前記第１溝にそれぞれ形成され、前記第１溝には、前記第１溝を開閉する第１蓋がさらに設けられる請求項８〜１１のいずれか１項に記載のウェットティッシュ供給装置。
【請求項１３】
前記第１蓋は、前記第１溝に回転可能に設けられ、前記第１溝を開閉する請求項１２に記載のウェットティッシュ供給装置。
【請求項１４】
前記水桶には、第２溝が形成され、前記出水口は、前記第２溝に形成され、前記栓部は、前記第２溝を水密に開閉し、前記出水口を開閉する請求項２〜１３のいずれか１項に記載のウェットティッシュ供給装置。
【請求項１５】
前記水桶の下部には、前記出水口の水を前記ティッシュに誘導するための楕円状のスカート部材がさらに設けられ、前記棒部は、前記スカート部材の内部に位置し、前記プッシュ部材は、前記スカート部材を貫通し、前記棒部を移動させる請求項２〜１４のいずれか１項に記載のウェットティッシュ供給装置。
【請求項１６】
前記スカート部材の内部には、前記出水口の水を複数個の水流で散水するための散水部材がさらに設けられる請求項１５に記載のウェットティッシュ供給装置。
【請求項１７】
前記散水部材は、複数個の散水孔と、前記出水口の水を前記散水孔に誘導するための溝ラインとを有する請求項１６に記載のウェットティッシュ供給装置。
【請求項１８】
前記水桶は、前記出口部材及び前記積載箱にそれぞれ脱着可能に結合される請求項１〜１７のいずれか１項に記載のウェットティッシュ供給装置。
【請求項１９】
前記積載箱は、上面のみが開口した筒状体であり、前記上面は、前記水桶が前記出口部材及び前記積載箱から分離されると開放される請求項１８に記載のウェットティッシュ供給装置。
【請求項２０】
前記水桶は、上面のみが開口した筒状体であり、前記水桶には、その開口した上面を開閉する第２蓋が回転可能に設けられる請求項１〜１９のいずれか１項に記載のウェットティッシュ供給装置。
【請求項２１】
前記水桶には、前記第２蓋との間に水密性を与える第１のパッキング部材がさらに設けられる請求項２０に記載のウェットティッシュ供給装置。
【請求項２２】
前記出口部材の下部及び前記積載箱の下部を横切って設けられ、引き出し式で出没する水受け部材をさらに有する請求項１〜２１のいずれか１項に記載のウェットティッシュ供給装置。
【請求項２３】
前記水受け部材は、上面のみが開口した筒状体である請求項２２に記載のウェットティッシュ供給装置。
【請求項２４】
前記水受け部材は、その開口した上面を開閉する第３蓋が回転可能に設けられ、前記第３蓋には、前記出水口の水を前記水受け部材に回収するための回収孔が形成される請求項２３に記載のウェットティッシュ供給装置。
【請求項２５】
前記水受け部材には、前記第３蓋との間に水密性を与える第２のパッキング部材がさらに設けられる請求項２４に記載のウェットティッシュ供給装置。
【請求項２６】
前記出口部材は、前記積載箱に回転して脱着可能に設けられる請求項１〜２５のいずれか１項に記載のウェットティッシュ供給装置。
【請求項２７】
互いに対向する前記積載箱及び前記出口部材の面には、互いに当接して前記ティッシュの移動路を形成する突出部がそれぞれ形成される請求項１〜２６のいずれか１項に記載のウェットティッシュ供給装置。
【請求項２８】
前記出口部材及び前記積載箱の各下部には、滑り防止部材がさらに設けられる請求項１〜２７のいずれか１項に記載のウェットティッシュ供給装置。
【請求項２９】
前記積載箱の内部には、前記ティッシュを弾力的に押すための押板部材がさらに設けられる請求項１〜２８のいずれか１項に記載のウェットティッシュ供給装置。
【請求項３０】
前記出口部材には、前記出水口の水を含み、前記ティッシュを濡らす第１の含水部材が、前記第２孔を取り囲むようにさらに設けられる請求項１〜２９のいずれか１項に記載のウェットティッシュ供給装置。
【請求項３１】
前記積載箱には、前記出水口の水を含み、前記ティッシュを濡らす第２の含水部材が、前記第１孔を取り囲むようにさらに設けられる請求項３０に記載のウェットティッシュ供給装置。
【請求項３２】
前記第１及び第２の含水部材は、脱着可能に設けられる請求項３１に記載のウェットティッシュ供給装置。
【請求項３３】
前記第２孔には、前記出水口の水で濡らした前記ティッシュを、前記第２孔から抜き出すとき、水が外部に漏れることを防止する漏れ防止部材がさらに設けられる請求項１〜３２のいずれか１項に記載のウェットティッシュ供給装置。
【発明の詳細な説明】
【技術分野】
【０００１】
本発明は、ウェットティッシュ供給装置に関する。
【背景技術】
【０００２】
ウェットティッシュは、密閉状態において濡れているので、かびの発生に好適な条件となっている。一般に、ウェットティッシュ製造会社では、毒性の強い防腐剤を入れなければ、製品を作ることができないと認識されている。さらに、嬰・乳児用ウェットティッシュに加湿器殺菌剤の有害成分が入っていることが知られるにつれ、ウェットティッシュへの消費者心理が急速に萎縮している。
【０００３】
最近、ウェットティッシュに有毒な防腐剤を用いなくても、使用者がウェットティッシュを長期間保管して使用可能な技術が開示されている。例えば、抗菌力のある包装紙とキャップを用いて、ウェットティッシュに含まれた保存料量を減らす技術がある。しかし、この技術は、防腐剤やその他の化学成分の含量を減らすだけで、根本的に有害性をなくす技術ではないため、消費者の不安感を解消することができなかった。
【０００４】
また、水のみを用いたウェットティッシュの製造装置が開示されている。関連先行技術としては、特許文献１等がある。この先行技術は、ドライティッシュを水で濡らした後、圧縮板を用いて、その場でウェットティッシュを製造する技術である。これは、水のみを用いてウェットティッシュを製造するので、防腐剤やその他の化学成分による有害性はない。
【先行技術文献】
【特許文献】
【０００５】
大韓民国公開特許公報第１０−２０１１−０００７２９８号（ウェットティッシュの製造方法及び保管箱）
【発明の概要】
【発明が解決しようとする課題】
【０００６】
しかし、特許文献１に記載のウェットティッシュ製造装置では、当該技術により水で濡らされる前のティッシュをそのまま抜いて使うことはできず、一つの装置において、含水量の異なるティッシュを混用することができないという問題があった。
【０００７】
そこで、本発明は、上記問題点に鑑みてなされたものであり、本発明の目的とするところは、一つの装置において、含水量の異なるティッシュを混用することが可能な、新規かつ改良されたウェットティッシュ供給装置を提供することにある。
【０００８】
本発明が解決しようとする技術的課題は、上述した技術的課題に制限されず、言及されていない他の技術的課題は、下記の記載に基づき、本発明の属する技術の分野における通常の知識を有する者にとって、明確に理解されるべきである。
【課題を解決するための手段】
【０００９】
上述した目的を達成するために、本発明のある観点によれば、筒状体をなし、内部にティッシュを積載し、第１孔を有する積載箱と、第２孔を有し、前記第２孔と前記第１孔とが対向した形で前記積載箱に設けられる出口部材と、前記出口部材及び前記積載箱上に設けられ、出水口を有する水桶と、前記水桶の出水口に設けられ、前記第１孔と前記第２孔との間に位置して移動し、前記出水口を開閉する開閉部材と、前記出口部材に設けられ、前記開閉部材の下方に位置し、前記開閉部材を移動させるプッシュ部材と、を備えることを特徴とするウェットティッシュ供給装置が提供される。
【００１０】
前記開閉部材は、前記出水口を開閉する栓部と、前記栓部の下部に連結される棒部とからなり、前記プッシュ部材が前記棒部を移動させ、前記栓部が前記出水口を開閉することができる。
【００１１】
前記棒部は、下部から前記水桶との間に第１の弾性部材が設けられ、弾力的に移動することができる。
【００１２】
前記プッシュ部材は、前記棒部を移動させる突起を有してもよい。
【００１３】
前記突起は、傾斜面を形成し、前記棒部を移動させ、前記プッシュ部材が前記積載箱へ前進すると、前記棒部が前記傾斜面の上部に位置し、前記栓部が前記出水口を開放し、前記プッシュ部材が後進すると、前記棒部が、前記傾斜面の下部に位置し、前記栓部が前記出水口を閉鎖することができる。
【００１４】
前記突起は、半円形をなし、前記棒部を移動させ、前記プッシュ部材が前記積載箱へ前進及び後進する間、前記棒部が前記突起の上部に位置し、前記栓部が前記出水口を２回開放し、前記棒部が前記突起を乗り越えると、前記栓部が前記出水口を閉鎖することができる。
【００１５】
前記出水口が複数個である場合、前記棒部の各下部を連結する板体がさらに設けられ、前記板体の下部には、前記突起と対応する半円突起がさらに突設されてもよい。
【００１６】
前記出口部材には、前記第２孔の上に溝状のハウジングがさらに形成され、前記プッシュ部材は、前記ハウジングに挿入設置され、前記棒部を移動させることができる。
【００１７】
前記ハウジングは、前記プッシュ部材と前記棒部が互いに接するように上面が開口され、前記ハウジングの左右側面には、案内孔が形成され、前記プッシュ部材は、前記案内孔に挟まれる案内突起を有してもよい。
【００１８】
前記案内突起が形成された前記プッシュ部材の面は、切開線に沿って前記案内孔に弾力的に脱着可能に挟まれてもよい。
【００１９】
前記ハウジングの内部には、前記プッシュ部材を弾力的に作動させるための第２の弾性部材がさらに設置されてもよい。
【００２０】
前記出口部材は、前記第２孔の形成面に、第１溝が形成され、前記第２孔と前記ハウジングは、前記第１溝にそれぞれ形成され、前記第１溝には、前記第１溝を開閉する第１蓋がさらに設けられてもよい。
【００２１】
前記第１蓋は、前記第１溝に回転可能に設けられ、前記第１溝を開閉することができる。
【００２２】
前記水桶には、第２溝が形成され、前記出水口は、前記第２溝に形成され、前記栓部は、前記第２溝を水密に開閉し、前記出水口を開閉することができる。
【００２３】
前記水桶の下部には、前記出水口の水を前記ティッシュに誘導するための楕円状のスカート部材がさらに設けられ、前記棒部は、前記スカート部材の内部に位置し、前記プッシュ部材は、前記スカート部材を貫通し、前記棒部を移動させることができる。
【００２４】
前記スカート部材の内部には、前記出水口の水を複数個の水流で散水するための散水部材がさらに設けられてもよい。
【００２５】
前記散水部材は、複数個の散水孔と、前記出水口の水を前記散水孔に誘導するための溝ラインとを有してもよい。
【００２６】
前記水桶は、前記出口部材及び前記積載箱にそれぞれ脱着可能に結合されてもよい。
【００２７】
前記積載箱は、上面のみが開口した筒状体であり、前記上面は、前記水桶が前記出口部材及び前記積載箱から分離されると開放されてもよい。
【００２８】
前記水桶は、上面のみが開口した筒状体であり、前記水桶には、その開口した上面を開閉する第２蓋が回転可能に設けられてもよい。
【００２９】
前記水桶には、前記第２蓋との間に水密性を与える第１のパッキング部材がさらに設けられてもよい。
【００３０】
前記出口部材の下部及び前記積載箱の下部を横切って設けられ、引き出し式で出没する水受け部材をさらに有してもよい。
【００３１】
前記水受け部材は、上面のみが開口した筒状体であってもよい。
【００３２】
前記水受け部材は、その開口した上面を開閉する第３蓋が回転可能に設けられ、前記第３蓋には、前記出水口の水を前記水受け部材に回収するための回収孔が形成されてもよい。
【００３３】
前記水受け部材には、前記第３蓋との間に水密性を与える第２のパッキング部材がさらに設けられてもよい。
【００３４】
前記出口部材は、前記積載箱に回転して脱着可能に設けられてもよい。
【００３５】
互いに対向する前記積載箱及び前記出口部材の面には、互いに当接して前記ティッシュの移動路を形成する突出部がそれぞれ形成されてもよい。
【００３６】
前記出口部材及び前記積載箱の各下部には、滑り防止部材がさらに設けられてもよい。
【００３７】
前記積載箱の内部には、前記ティッシュを弾力的に押すための押板部材がさらに設けられてもよい。
【００３８】
前記出口部材には、前記出水口の水を含み、前記ティッシュを濡らす第１の含水部材が、前記第２孔を取り囲むようにさらに設けられてもよい。
【００３９】
前記積載箱には、前記出水口の水を含み、前記ティッシュを濡らす第２の含水部材が、前記第１孔を取り囲むようにさらに設けられてもよい。
【００４０】
前記第１及び第２の含水部材は、脱着可能に設けられてもよい。
【００４１】
前記第２孔には、水が外部に漏れることを防止する漏れ防止部材がさらに設けられてもよい。
【発明の効果】
【００４２】
以上説明したように本発明によれば、プッシュ部材を作動することで、第２孔と第１孔を通じて、濡らされたウェットティッシュを抜いて使用することができ、プッシュ部材を作動しなければ、第２孔と第１孔を通じて、濡らされる前のティッシュをそのまま抜いて使うことができるので、一つの装置において、水で濡らされたウェットティッシュと、水で濡らされる前のティッシュを混用することが可能である。
【図面の簡単な説明】
【００４３】
【図１】本発明によるウェットティッシュ供給装置を示す図である。
【図２】本発明によるウェットティッシュ供給装置を第１及び第２の蓋、水受け部材を開放して示す図である。
【図３】図１のＡ‐Ａ線による断面図である。
【図４】本発明によるウェットティッシュ供給装置を示す分解図である。
【図５】本発明における開閉部材とプッシュ部材を示す図である。
【図６】図５を断面して示す図である。
【図７】本発明におけるプッシュ部材を示す図である。
【図８】本発明における出口部材の後方からみた様子を示す図である。
【図９】図８におけるＢ部分を拡大した図である。
【図１０】本発明における第２蓋が分離された水桶を示す図である。
【図１１】本発明における水桶に開閉部材が設けられた様子を示す図である。
【図１２】本発明におけるスカート部材にプッシュ部材が位置した水桶の下部の様子を示す図である。
【図１３】本発明における出口部材が積載箱から開放された様子を示す図である。
【図１４】本発明によるウェットティッシュ供給装置の他の実施例を示す図である。
【図１５】本発明による他の実施例における出口部材を示す図である。
【図１６】本発明による他の実施例における積載箱を示す図である。
【図１７】本発明による他の実施例における水受け部材を示す図である。
【発明を実施するための形態】
【００４４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。また、本発明の要旨を不明にする公知の機能及び構成についての詳細な説明を省略する。
【００４５】
図１〜図４に示すように、本発明によるウェットティッシュ供給装置は、積載箱１００、出口部材２００、水桶３００、開閉部材４００、及びプッシュ部材５００で構成される。積載箱１００、出口部材２００、水桶３００、開閉部材４００、及びプッシュ部材５００は、樹脂または金属材質からなってもよい。一部の構成要素は、樹脂材質からなってもよく、他の構成要素は、金属材質からなってよい。水桶３００は、水位測定を容易にするために透明材質からなってもよい。
【００４６】
積載箱１００は、筒状体をなし、内部にドライティッシュを積載し、第１孔１０１を有する。出口部材２００は、第２孔２０１を有する。出口部材２００は、第２孔２０１が第１孔１０１と対向して積載箱１００に設けられる。積載箱１００に積載されたドライティッシュ１は、第２孔２０１から第１孔１０１を通じて外部に抜き出される。
【００４７】
ドライティッシュ１は、積載箱１００に縦に積載され、第２孔２０１から第１孔１０１を通じて外部に抜き出される。一つのドライティッシュ１が抜け出る間、他の一つのドライティッシュ１が連なって出てきて、第２孔２０１と第１孔１０１との間にかけて待機する。連なって出てきた他の一つのドライティッシュ１の一部は、第２孔２０１から突出して抜きやすい状態で待機する。
【００４８】
水桶３００は、出口部材２００及び積載箱１００の上に設けられる。水桶３００には、出水口３０１が設けられ、水桶３００に入れた水を出水する。開閉部材４００は、水桶３００の出水口３０１に設けられ、第１孔１０１と第２孔２０１との間に位置し、上下して出水口３０１を開閉する。プッシュ部材５００は、出口部材２００に設けられ、開閉部材４００の下方に位置し、開閉部材４００を上下させる。
【００４９】
このようなウェットティッシュ供給装置は、片手で開閉部材４００を押圧し、開閉部材４００を上昇させることにより、水桶３００の出水口３０１を開放し、水を出水させ、もう一方の手では、第２孔２０１と第１孔１０１を貫通して置かれたドライティッシュ１を、積載箱１００から抜き出す。両手の動作は同時に行われ、出水口３０１に出水される水は、第１孔１０１と第２孔２０１との間を貫通するドライティッシュ１を濡らしてウェットティッシュを作る。
【００５０】
本発明によるウェットティッシュ供給装置は、プッシュ部材５００を作動しなければ、第２孔２０１と第１孔１０１を通じて、いつでも、積載箱１００に積載されたドライティッシュ１を所望の量だけ抜いて使うことができる。
【００５１】
図５及び図６に示すように、開閉部材４００は、水桶３００の出水口３０１に挟まれ、出水口３０１を開閉する栓部４１０と、栓部４１０の下部に連結される棒部４２１と、で構成される。開閉部材４００は、プッシュ部材５００が棒部４２１を上下させることにより、栓部４１０が出水口３０１から抜け出て、出水口３０１を開閉する。栓部４１０は、ゴムやシリコン等のような樹脂材質からなり、出水口３０１を水密に閉鎖する。
【００５２】
棒部４２１は、下部から水桶３００との間に第１の弾性部材４２３を設置して弾力的に上下することができる（図４参照）。第１の弾性部材４２３は、プッシュ部材５００が棒部４２１を押し上げると、収縮し、プッシュ部材５００の押し上げる動作が終わると、元に伸長され、棒部４２１を元に戻させる。第１の弾性部材４２３は、元に戻った棒部４２１に弾性力を与え続けることにより、栓部４１０が、出水口３０１をさらに堅固に水密性を有して閉鎖させる。第１の弾性部材４２３は、腐食に強いステンレス鋼で形成されることがよい。第１の弾性部材４２３は、ばねの形態が好ましい。
【００５３】
図７に示すように、プッシュ部材５００は、指の押圧部が設けられる水平板部５０１と、水平板部５０１に水平に連結される四角筒部５０３と、からなる。プッシュ部材５００は、四角筒部５０３の上部に突起５０５を形成し、棒部４２１を上下させることができる。
【００５４】
図示してはいないが、例えば、プッシュ部材５００は、棒部４２１と対面する突起５０５の面を傾斜面に形成し、棒部４２１を上下させることができる。プッシュ部材５００の水平板部５０１が積載箱１００に向かって前進すると、棒部４２１が傾斜面を上昇し、栓部４１０は、徐々に出水口３０１を開放する。棒部４２１が傾斜面の上部、すなわち、頂部に位置すると、栓部４１０が出水口３０１を完全に開放する。
【００５５】
これに対して、プッシュ部材５００が後進すると、棒部４２１が傾斜面を下降し、棒部４２１が傾斜面の下部に位置すると、栓部４１０が出水口３０１を完全に閉鎖する。プッシュ部材５００を押圧し続けると、水を充分に濡らしたウェットティッシュが製造される。しかし、子供たちのいたずらにより、プッシュ部材５００が押圧され続けると、水が止まらずに出水されるという問題があった。
【００５６】
図６に示すように、プッシュ部材５００は、突起５０５を半円形に形成し、棒部４２１を上下させることができる。このような場合、プッシュ部材５００が積載箱１００へ前進及び後進する間、棒部４２１が突起５０５の上部、すなわち、頂部に２回位置するので、栓部４１０は、出水口３０１を２回開放する。棒部４２１が、突起５０５を乗り越えると、棒部４２１が出水口３０１を閉鎖する。
【００５７】
すなわち、プッシュ部材５００が積載箱１００に向かって前進すると、棒部４２１が突起５０５を上昇し、栓部４１０は、出水口３０１を開放する。プッシュ部材５００がさらに前進すると、棒部４２１が突起５０５を下降し、栓部４１０は出水口３０１を閉鎖する。プッシュ部材５００を押圧し続けると、出水口３０１は閉鎖され、出水されない。
【００５８】
これに対して、プッシュ部材５００が後進すると、棒部４２１がさらに突起５０５を上昇し、栓部４１０は、出水口３０１を開放する。プッシュ部材５００がさらに後進すると、棒部４２１が突起５０５を下降し、元の位置に戻り、栓部４１０は、出水口３０１を閉鎖する。
【００５９】
プッシュ部材５００の作動は、弾力的に行われ、これにより、プッシュ部材５００の後進は自動で行われる。プッシュ部材５００の前進及び後進は、ドライティッシュ１が第２孔２０１から抜け出る間に行われ、出水口３０１は、プッシュ部材５００が前進及び後進する間、２回開放され、出水する。プッシュ部材５００が前進する間、ドライティッシュ１は、先頭及び中間が濡れ、プッシュ部材５００が後進する間、ドライティッシュ１は、中間及び後尾が濡れるので、水を充分に濡らしたウェットティッシュが提供される。子供たちのいたずらにより、プッシュ部材５００が押圧され続けても、出水口３０１が断続的に開放されるので、水が出水され続けるという問題がない。
【００６０】
図４、図８、図９に示すように、出口部材２００には、第２孔２０１の上に溝状のハウジング２１０が形成され、プッシュ部材５００は、ハウジング２１０に挿入設置され、開閉部材４００の棒部４２１を上下させることができる。
【００６１】
ハウジング２１０は、プッシュ部材５００と開閉部材４００の棒部４２１とが当接するように上面が開口される。ハウジング２１０の左右側面には、長さを有する案内孔２１１が形成され、図７に示すように、プッシュ部材５００は、案内孔２１１に挟まれる案内突起５０７を有してもよい。案内孔２１１に挟まれた案内突起５０７は、プッシュ部材５００が水平に前進及び後進可能にする。
【００６２】
案内突起５０７が形成されたプッシュ部材５００の面（四角筒部５０３の左右側面）は、切開線５０９に沿って案内孔２１１に弾力的に脱着可能に挟まれる。案内突起５０７を押圧して案内孔２１１から離脱させると、プッシュ部材５００がハウジング２１０から容易に抜ける。これにより、プッシュ部材５００を洗浄し、プッシュ部材５００についた異物を簡単に除去することができる。
【００６３】
図４及び図６に示すように、ハウジング２１０の内部には、第２の弾性部材２１３が設けられてもよい。第２の弾性部材２１３は、プッシュ部材５００に弾性を与え、プッシュ部材５００を弾力的に作動させる。第２の弾性部材２１３は、プッシュ部材５００を押圧すると、収縮し、押圧力が除去されると、伸長され、プッシュ部材５００の押圧前の位置に戻る。第２の弾性部材２１３は、腐食に強いステンレス鋼で形成されることがよい。第２の弾性部材２１３は、ばねの形態が好ましい。
【００６４】
出口部材２００は、第２孔２０１の形成面に第１溝２１５が形成される。第２孔２０１とハウジング２１０は、第１溝２１５にそれぞれ形成されてもよく、第１溝２１５には、第１溝２１５を開閉する第１蓋６１０が設けられてもよい。
【００６５】
図４及び図８に示すように、出口部材２００は、積載箱１００と対面する後面のみを開口した筒状体であってもよい。出口部材２００は、前面２１７に第１溝２１５を形成し、その第１溝２１５の底部に第２孔２０１とハウジング２１０を形成することができる。このとき、出口部材２００は、上面２１９に貫通孔２２１を形成し、水桶３００の出水口３０１に設けられた開閉部材４００の棒部４２１が案内孔２１１を貫通し、プッシュ部材５００と対応させる。
【００６６】
第１蓋６１０は、プッシュ部材５００のドライティッシュ１を保護し、出口部材２００の美観を改善する。第１蓋６１０は、第１溝２１５に回転可能に設置され、第１溝２１５を開閉することがよい。
【００６７】
図４に示すように、第１蓋６１０は、下部に挟持孔６１３を有する突部６１１をそれぞれ距離を置いて形成し、第１溝２１５は、第１蓋６１０の下部と対面する壁面に、挟持孔６１３に挟まれる挟持突起２２５を有するブラケット２２３をそれぞれ形成する。挟持突起２２５に挟持孔６１３を挟んだ第１蓋６１０は、回転しながら第１溝２１５を開閉する。
【００６８】
このとき、突部６１１は、曲線をなして長く形成され、挟持孔６１３は、突部６１１の長さによって形成されてもよい。また、第１溝２１５には、突部６１１が挿入される挿入孔２２７が形成されてもよい。第１蓋６１０が、第１溝２１５を覆うと、突部６１１が挿入孔２２７に挿入され、出口部材２００の内部に入るようになる。出口部材２００の内部に入った突部６１１の部位は、水桶３００を係止し、第１蓋６１０が第１溝２１５を覆うと、水桶３００が抜けないようにする。
【００６９】
図１０に示すように、水桶３００には、第２溝３０３が形成されてもよい。出水口３０１は、第２溝３０３に形成されてもよく、栓部４１０は、第２溝３０３を水密に開閉し、出水口３０１を開閉することができる。
【００７０】
水桶３００は、上面のみが開口した筒状体であってもよい。出水口３０１は、水桶３００の底面に形成され、第２溝３０３は、出水口３０１を取り囲んで水桶３００の底面に形成される。図１１に示すように、栓部４１０は、第２溝３０３に水密に挟まれ、出水口３０１を開閉することができる。
【００７１】
図１０に示すように、出水口３０１は、第２溝３０３に複数個で形成されてもよく、図５に示すように、開閉部材４００の棒部４２１は、出水口３０１の数だけ出水口３０１に挟まれ、栓部４１０と連結される。このとき、棒部４２１の各下部には、下部を連結する板体４２５が設けられ、棒部４２１を固定し、第１の弾性部材４２３は、各棒部４２１に設けられ、弾性を与える。
【００７２】
図６に示すように、板体４２５の下部には、プッシュ部材５００の突起５０５と対応する半円突起４２７が突設され、プッシュ部材５００の作動時、棒部４２１を上下させ、栓部４１０が第２溝３０３を開閉させてもよい。図５では、板体４２５の中間がコ字状に折り曲げられ、半円突起４２７を形成しているが、これは、コンパクトな構造にするためである。
【００７３】
第２溝３０３が開放されると、第２溝３０３に溜まった水桶３００の水は、複数個の出水口３０１から数個の水流で出水されるので、積載箱１００の第１孔１０１と出口部材２００の第２孔２０１を貫通するドライティッシュ１を充分に濡らし、ウェットティッシュを作ることができる。
【００７４】
図１２に示すように、水桶３００の下部には、出水口３０１の水をドライティッシュ１に誘導するための楕円状のスカート部材３０５が設けられ、棒部４２１は、スカート部材３０５の内部に位置する。このとき、プッシュ部材５００は、スカート部材３０５を貫通して位置し、棒部４２１を上下させる。スカート部材３０５は、前面と後面に溝（図示せず）を形成し、その溝にハウジング２１０を位置させることにより、プッシュ部材５００がスカート部材３０５を貫通して位置するようになる。
【００７５】
スカート部材３０５は、出水口３０１から出水される水が、板体４２５やハウジング２１０、プッシュ部材５００等にぶつかって飛び散る場合、これを遮って、ドライティッシュ１に流し、後述する水受け部材８００に安全に集まるようにする。スカート部材３０５は、第２溝３０３の全体、または出水口３０１を取り囲むサイズとなる。
【００７６】
図示してはいないが、スカート部材３０５の内部には、出水口３０１の水をシャワーのように複数個の水流で散水するための散水部材が設けられてもよい。散水部材は、スカート部材３０５の内壁面に固定される。散水部材は、四角形状であり、複数個の溝ラインと、溝ラインに沿って配列形成された複数個の散水孔とからなってもよい。出水口３０１の水は、溝ラインに沿って流れ、散水孔は、数個の水流で散水し、ドライティッシュ１を濡らす。散水部材は、出水口３０１の水をドライティッシュ１に均一に振りまくことができる。
【００７７】
図２、図３、図４に示すように、水桶３００は、上面のみが開口した筒状体からなってもよい。水桶３００には、その開口した上面を開閉する第２蓋３１１が回転可能に設置されてもよい。水桶３００は、開口した上面の一辺に挟持孔（図示せず）を形成し、第２蓋３１１には、挟持孔に挟まれる挟持突起（図示せず）を形成し、水桶３００の開口した上面を回転可能に開閉することができる。第２蓋３１１は、透明材質からなり、水桶３００の水位の測定を容易に行うことができる。水桶３００の開口した上面の周縁には、第２蓋３１１との間に水密性を与える第１のパッキング部材（図示せず）が設けられてもよい。
【００７８】
図１〜図４に示すように、水桶３００は、出口部材２００及び積載箱１００にそれぞれ脱着可能に結合される。積載箱１００は、上面のみが開口した筒状体であり、水桶３００が出口部材２００及び積載箱１００から分離されると、上面が開放される。積載箱１００は、水桶３００が分離されることにより、開放した上面を通じてドライティッシュ１をさらに満たす。
【００７９】
図１１及び図１２に示すように、水桶３００は、前面側に第１の係止突起３０７が形成され、後面には、第１の係止孔３０９が形成され、出口部材２００及び積載箱１００にそれぞれ脱着可能に結合される。水桶３００の分離は、水桶３００の洗浄及び乾燥等を容易にすると共に、常時清潔な状態を維持可能にする。
【００８０】
出口部材２００は、上面２１９に第１の係止突起３０７を挟持する第２の係止孔２２９が形成され、水桶３００と脱着可能に結合する（図１３参照）。第１の係止突起３０７  は、端部にフック状の係止段を形成し、第２の係止孔２２９に係止される。第１の係止突起３０７は、水桶３００の前面から下方に向かって突設されてもよい。水桶３００は、前面に切開線を通じて弾力的に作動する第１のプッシュボタン３１３を形成し、第１のプッシュボタン３１３を押圧し、第１の係止突起３０７を押し、第２の係止孔２２９に係止された第１の係止突起３０７の係止段を抜き出すことができる。
【００８１】
積載箱１００には、第１の係止孔３０９に挟持される第２の係止突起１０３が形成され、水桶３００と脱着可能に結合する（図１３参照）。第２の係止突起１０３は、端部に第１の係止孔３０９に挟持される円形突起（図示せず）が形成され、水桶３００と脱着可能に結合する。第１の係止孔３０９に挟まれた円形突起を押して抜き取ると、水桶３００が積載箱１００から容易に分離される。
【００８２】
図１〜図４に示すように、出口部材２００の下部及び積載箱１００の下部には、出口部材２００及び積載箱１００を横切って水受け部材８００が設けられる。水受け部材８００は、引き出し式で出没する。水受け部材８００は、ドライティッシュ１に染み込まずに残った出水口３０１の水を集めて回収する。
【００８３】
水受け部材８００は、上面のみが開口した筒状体であってもよく、その開口した上面を開閉する第３蓋８０１が回転可能に設けられてもよい。水受け部材８００は、開口した上面の一辺に挟持孔（図示せず）が形成され、第３蓋８０１には、挟持孔に挟まれる挟持突起（図示せず）が形成され、水受け部材８００の開口した上面を回転しながら開閉することができる。
【００８４】
第３蓋８０１は、水受け部材８００に溜まった水が外部に流出することを防ぐ。第３蓋８０１には、回収孔８０３が形成され、その回収孔８０３から出水口３０１の水を水受け部材８００に回収可能にする。第１蓋６１０が第１溝２１５を覆うことにより、出口部材２００の内部に入った突部６１１の部位は、第３蓋８０１の回収孔８０３に挟まれ、水桶３００が抜けないようにする。水受け部材８００の開口した上面の周縁には、第３蓋８０１との間に水密性を与える第２のパッキング部材（図示せず）が設けられてもよい。
【００８５】
図３に示すように、出口部材２００の下部には、出没孔２３１が形成され、積載箱１００の下部には、隔壁１０５が設けられ、出没溝１０７が形成され、水受け部材８００は、出没孔２３１と出没溝１０７に挟まれ、出口部材２００及び積載箱１００を横切って引き出し式で出没する。
【００８６】
図１３に示すように、出口部材２００は、積載箱１００に回転しながら脱着可能に設けられてもよい。出口部材２００は、積載箱１００に固定され、一体で設けられてもよいが、脱着可能に設けられることで、掃除等を容易にすることが好ましい。出口部材２００は、出口部材２００及び積載箱１００から水桶３００が分離されると、積載箱１００から回転して分離される。
【００８７】
出口部材２００は、左右内側面に第３の係止突起２３３が突設され、積載箱１００には、第３の係止突起２３３と対応する第３の係止孔１０９が形成される。第３の係止突起２３３は、端部に円形突起（図面せず）が突設され、円形突起が第３の係止孔１０９に挟まれることにより、出口部材２００が積載箱１００に回転して脱着可能に設けられる。第３の係止孔１０９は、長孔状である。出口部材２００の分離は、出口部材２００を積載箱１００から前に引っ張って開放した後、円形突起を押して第３の係止孔１０９から抜き出せばよい。
【００８８】
また、出口部材２００には、第４の係止突起２４１が形成され、積載箱１００に堅固に脱着可能に結合される。第４の係止突起２４１は、出口部材２００の左側面と右側面からそれぞれ突設される。積載箱１００は、その前面に第４の係止突起２４１と対応する第４の係止孔１１３が形成される。第４の係止突起２４１は、端部にフック状の係止段が形成され、第４の係止孔１１３に係止される。出口部材２００は、左側面と右側面に切開線を沿って弾力的に作動する第２のプッシュボタン２４３が形成され、第２のプッシュボタン２４３を押圧し、第４の係止突起２４１を押し、第４の係止孔１１３に係止された第４の係止突起２４１の係止段を抜き出すことができる。
【００８９】
図１３に示すように、互いに対向する積載箱１００及び出口部材２００の面には、当接して前記ドライティッシュ１の移動路を形成する突出部１１１、２３５がそれぞれ突設されてもよい。突出部１１１は、積載箱１００の前面に第１孔１０１を取り囲んで形成される。図面では、突出部１１１がコ字状となっている。突出部２３５は、出口部材２００の前面から突設される。突出部１１１、２３５は、積載箱１００と出口部材２００が互いに結合すると、当接してドライティッシュ１の移動路を形成する。
【００９０】
図４に示すように、出口部材２００及び積載箱１００の各下部には、滑り防止部材９０１が設けられ、出口部材２００及び積載箱１００が滑らないようにする。
【００９１】
図１５に示すように、出口部材２００には、第１の含水部材９１１が設けられてもよい。第１の含水部材９１１は、水をよく吸収するスポンジ材質であってもよい。第１の含水部材９１１は、第２孔２０１を取り囲んで出口部材２００の前面の後方に設けられ、出水口３０１の水を含み、ドライティッシュ１を濡らす。出口部材２００は、第２孔２０１を取り囲んで第１の設置突起９１５が突出され、その第１の設置突起９１５に第１の含水部材９１１を脱着可能に挟んで設置する。
【００９２】
出水口３０１の水は、第１の含水部材９１１に出水され、ドライティッシュ１は、第１の含水部材９１１から水を吸収して濡れる。第１の含水部材９１１は、第１の含水部材９１１を通過するドライティッシュ１に均一な水を供給し、ドライティッシュ１が均一に濡れるようになる。第１の含水部材９１１の含水量を超過した水は、下方に流れ、水桶３００に回収される。図面符号９１６は、第１の含水部材９１１の含水量を超過した水を、図１７に示す水桶３００の回収孔８０３に誘導する誘導孔である。図面符号９１７は、第１の設置突起９１５に挟まれた第１の含水部材９１１を支持する治具である。
【００９３】
図１６に示すように、積載箱１００には、第２の含水部材９２１が設けられる。第２の含水部材９２１は、第１の含水部材９１１と同一の材質からなってもよい。第２の含水部材９２１は、第１孔１０１を取り囲んで積載箱１００の前面の前方に設けられ、第１の含水部材９１１と当接して、第１の含水部材９１１と一緒にドライティッシュ１の移動路を形成する。積載箱１００は、第１孔１０１を取り囲んで第２の設置突起９２３を突出させ、その第２の設置突起９２３に第２の含水部材９２１を脱着可能に挟んで設置する。
【００９４】
第２の含水部材９２１は、出水口３０１から水を直接供給されて濡らしてもよく、第１の含水部材９１１から出水口３０１の水を間接供給されて濡らしてもよい。第２の含水部材９２１は、第１の含水部材９１１と一緒に通過するドライティッシュ１に均一の水を供給し、ドライティッシュ１を均一に水で濡らす。第２の含水部材９２１の含水量を超過した水は、下方に流れ、水桶３００に回収される。図面符号９２５は、第２の含水部材９２１の含水量を超過した水を、図１７に示す水桶３００の回収孔８０３に誘導する誘導突起である。図面符号９２７は、第２の設置突起９２３に挟まれた第２の含水部材９２１を支持する治具である。
【００９５】
図１６に示すように、積載箱１００の内部には、ドライティッシュ１を弾力的に押すために押板部材９０３が設けられる。押板部材９０３は、積載箱１００との間に弾性ばね部材（図示せず）が設けられ、ドライティッシュ１を弾力的に押すことができる。押板部材９０３は、ドライティッシュ１を第１孔１０１側に押し、少量のドライティッシュ１が残った場合でも容易に抜くことができ、ドライティッシュ１が倒れないように支持する。
【００９６】
図１４に示すように、第２孔２０１には、漏れ防止部材９３１が設けられる。漏れ防止部材９３１は、環状をなし、第２孔２０１に挟まれて固定され、出水口３０１の水で濡らしたドライティッシュ１を第２孔２０１から抜き出すとき、ドライティッシュ１に超過して含水された水が外部に漏れないように防止する。漏れ防止部材９３１は、弾性を有し、好ましくはシリコン材質からなることがよい。漏れ防止部材９３１は、水で濡らしたドライティッシュ１を抜き出すとき、弾性を与え、擦って絞るように、ドライティッシュ１に超過して含水された水を抜き、外部に漏れないようにする。
【００９７】
上述のように、本発明は、家庭、食堂、産業現場等において、生水や浄水、水道水等の水のみを用いて、ドライティッシュから容易にウェットティッシュに作って使うことができるので、防腐剤やその他の化学成分からの有害性が全くない。
【００９８】
また、コンパクトな構造により、携帯が簡便であるので、いつ、どこでも人体に無害であり、清潔なウェットティッシュを作って使うことができる。
【００９９】
また、ウェットティッシュを作らないときは、ドライティッシュを抜いて使うことができるので、一つの装置において、ウェットティッシュとドライティッシュの混用が可能である。したがって、使用者は、別途のドライティッシュ供給装置を準備する必要がない。
【０１００】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１０１】
例えば、上記実施形態では、積載箱１００がドライティッシュを積載し、ドライティッシュの含水量を増加させることで作成したウェットティッシュを供給する例を説明したが、本発明はかかる例に限定されない。例えば、本発明によるウェットティッシュ供給装置
は、積載箱１００にウェットティッシュを積載し、含水量をさらに増加させたウェットティッシュを供給してもよい。
【０１０２】
また、上記実施形態では開閉部材は上下することで出水口を開閉する例を説明したが、出水口を開閉するための動作は上下移動に限られず、例えば、開閉部材は水平に往復移動することにより出水口を開閉してもよい。
【符号の説明】
【０１０３】
１００    積載箱
１０１    第１孔
１０３    第２の係止突起
１０５    隔壁
１０７    出没溝
１０９    第３の係止孔
１１１    突出部
１１３    第４の係止孔
２００    出口部材
２０１    第２孔
２１０    ハウジング
２１１    案内孔
２１３    第２の弾性部材
２１５    第１溝
２１７    前面
２１９    上面
２２１    貫通孔
２２３    ブラケット
２２５    挟持突起
２２７    挿入孔
２２９    第２の係止孔
２３１    出没孔
２３３    第３の係止突起
２３５    突出部
２４１    第４の係止突起
２４３    第２のプッシュボタン
３００    水桶
３０１    出水口
３０３    第２溝
３０５    スカート部材
３０７    第１の係止突起
３０９    第１の係止孔
３１１    第２蓋
３１３    第１のプッシュボタン
４００    開閉部材
４１０    栓部
４２１    棒部
４２３    第１の弾性部材
４２５    板体
４２７    半円突起
５００    プッシュ部材
５０１    水平板部
５０３    四角筒部
５０５    突起
５０７    案内突起
５０９    切開線
６１０    第１蓋
６１１    突部
６１３    挟持孔
８００    水受け部材
８０１    第３蓋
８０３    回収孔
９０１    滑り防止部材
９０３    押板部材
９０５    弾性ばね部材
９１１    第１の含水部材
９２１    第２の含水部材
９３１    漏れ防止部材
【図１】
2015202396.tif 000003
【図２】
2015202396.tif 000004
【図３】
2015202396.tif 000005
【図４】
2015202396.tif 000006
【図５】
2015202396.tif 000007
【図６】
2015202396.tif 000008
【図７】
2015202396.tif 000009
【図８】
2015202396.tif 000010
【図９】
2015202396.tif 000011
【図１０】
2015202396.tif 000012
【図１１】
2015202396.tif 000013
【図１２】
2015202396.tif 000014
【図１３】
2015202396.tif 000015
【図１４】
2015202396.tif 000016
【図１５】
2015202396.tif 000017
【図１６】
2015202396.tif 000018
【図１７】
2015202396.tif 000019